【手続補正書】
【提出日】平成17年2月14日(2005.2.14)
【手続補正１】
【補正対象書類名】特許請求の範囲
【補正対象項目名】全文
【補正方法】変更
【補正の内容】
【書類名】  特許請求の範囲    【請求項１】  生体適合性生分解性フリースを作成する方法であって、  a．各々が生分解性領域および架橋可能成分を形成する一つまたは複数の成分を含む、二つまたはそれ以上の領域によって囲まれた重合体親水性領域を含む、架橋可能合成マクロマーを含む溶液を提供する段階；  b．所望の形で溶液を凍結させる段階；  c．溶液を真空乾燥させる段階；ならびに  d．フリースを作製するため、架橋可能マクロマーを架橋させる段階を含む方法。【請求項２】  真空乾燥工程が架橋工程の前に実行される、請求項1記載の方法。【請求項３】  真空乾燥工程が架橋工程の後に実行される、請求項1記載の方法。【請求項４】  マクロマー溶液が、重合を引き起こす材料、および生物活性剤のうちの少なくとも一つをさらに含む、請求項1記載の方法。【請求項５】  生物活性剤が、抗生物質、成長調節分子、止血剤、抗体、抗原、トランスフェクション・ベクター、発現ベクター、麻酔薬、および抗不整脈剤からなる群より選択される、請求項4記載の方法。【請求項６】  架橋が、電離放射線、非電離放射線、熱、開始剤の添加、および架橋化学物質またはイオンの添加のうちの少なくとも一つの使用により実行される、請求項1記載の方法。【請求項７】  架橋が、フリーラジカル重合反応によって実行される、請求項1記載の方法。【請求項８】  架橋されたマクロマーのすすぎをさらに含む、請求項1記載の方法。【請求項９】  すすぎの後に、架橋されたマクロマーを細断する工程をさらに含む、請求項8記載の方法。【請求項１０】  フリース粒子を形成するために、架橋されたマクロマーを細断する工程をさらに含む、請求項1記載の方法。【請求項１１】  凍結工程および真空乾燥工程のうちの少なくとも一つの後に、架橋されたマクロマーを細断する工程をさらに含む、請求項1記載の方法。【請求項１２】  支持材料がフリースに取り込まれる、請求項1記載の方法。【請求項１３】  支持材料の取り込みが凍結工程中に起こる、請求項12記載の方法。【請求項１４】  請求項1の方法によって作製された、生体適合性生分解性フリース粒子。【請求項１５】  水溶液によるフリース粒子の加湿をさらに含む、請求項10記載の方法【請求項１６】  加湿フリース粒子へ、細胞、重合を引き起こす材料、および生物活性剤のうちの少なくとも一つを添加する段階をさらに含む、請求項15記載の方法。【請求項１７】  請求項1記載の方法によって作製された、生体適合性生分解性フリース。【請求項１８】  請求項10記載の方法によって作製された、生体適合性生分解性フリース粒子。【請求項１９】  請求項16記載の方法によって作製された、生体適合性生分解性フリース粒子。【請求項２０】  架橋された合成マクロマーを含み、かつマクロ多孔性である生体適合性生分解性フリースであって、合成マクロマーのうちの少なくとも一つが、各々が生分解性領域および架橋可能成分を形成する一つまたは複数の成分を含む、二つまたはそれ以上の領域によって囲まれた重合体親水性領域を含むフリース。【請求項２１】  細胞、重合を引き起こす材料、および生物活性剤のうちの少なくとも一つをさらに含む、請求項20記載のフリース。【請求項２２】  フリース粒子の形態で存在する、請求項20記載のフリース。【請���項２３】  フリース粒子の形態で存在する、請求項21記載のフリース。【請求項２４】  炭酸エステルおよびヒドロキシ酸の単量体およびオリゴマーからなる群より選択される生分解性結合を含む、ジアクリレート化ポリエチレンオキシドを含む、請求項20記載のフリース。【請求項２５】  細胞、重合を引き起こす材料、および生物活性剤のうちの少なくとも一つをさらに含む、請求項24記載のフリース。【請求項２６】  フリース粒子の形態で存在する、請求項24記載のフリース。【請求項２７】  フリース粒子の形態で存在する、請求項25記載のフリース。【請求項２８】  異なる組成の領域を少なくとも二つ有する、請求項20記載のフリース。【請求項２９】  架橋可能マクロマーが水溶性である、請求項1記載のフリース。【請求項３０】  凍結工程の前に泡が溶液に取り込まれる、請求項1記載のフリース。【請求項３１】  請求項19記載の生体適合性フリース粒子および水溶液を含むスラリー。【請求項３２】  水溶液が、細胞、重合を引き起こす材料、および生物活性剤のうちの少なくとも一つを含む、請求項31記載のスラリー。【請求項３３】  請求項23記載の生体適合性フリース粒子および水溶液を含むスラリー。【請求項３４】  水溶液が、細胞、重合を引き起こす材料、および生物活性剤のうちの少なくとも一つを含む、請求項33記載のスラリー。【請求項３５】  請求項27記載の生体適合性フリース粒子および水溶液を含むスラリー。【請求項３６】  水溶液が、細胞、重合を引き起こす材料、および生物活性剤のうちの少なくとも一つを含む、請求項35記載のスラリー。【請求項３７】  請求項31記載のスラリーを創傷または欠損に適用することにより、創傷または欠損を治療する方法。【請求項３８】  請求項33記載のスラリーを創傷または欠損に適用することにより、創傷または欠損を治療する方法。【請求項３９】  請求項35記載のスラリーを創傷または欠損に適用することにより、創傷または欠損を治療する方法。【請求項４０】  スラリーが生細胞を含む、請求項38記載の方法。【請求項４１】  欠損が軟骨欠損であり、かつ生細胞が軟骨細胞である、請求項40記載の方法。【請求項４２】  軟骨欠損の外縁にプライマー溶液を適用する段階、およびスラリーを欠損へ密封するため、プライマー処理された欠損領域に密封剤を適用する段階をさらに含む、請求項41記載の方法。【請求項４３】  密封剤が生分解性重合可能マクロマーとして適用され、その後マクロマーが重合される、請求項42記載の方法。【請求項４４】  軟骨欠損の外縁にプライマー溶液を適用する段階、密封剤で軟骨欠損を覆うため、プライマー処理された欠損領域に密封剤を適用する段階、および次に密封剤と欠損との間にスラリーを適用する段階をさらに含む、請求項41記載の方法。【請求項４５】  密封剤が生分解性重合可能マクロマーとして適用され、その後マクロマーが重合される、請求項44記載の方法。【請求項４６】  重合が、電離放射線、非電離放射線、熱、開始剤の添加、および架橋化学物質またはイオンの添加のうちの少なくとも一つの使用により実行される、請求項43記載の方法。【請求項４７】  治療が、止血、大気からの保護、乾燥からの保護、および創傷への細胞または生物活性剤の送達のうちの少なくとも一つを含む、請求���38記載の方法。【請求項４８】  薬物送達のための、請求項20記載の生体適合性生分解性フリースの使用。【請求項４９】  組織癒着を防止するための、請求項20記載の生体適合性生分解性フリースの使用。【請求項５０】  細胞を培養するための、請求項20記載の生体適合性生分解性フリースの使用、およびその後の、細胞を含むフリースの欠損への移植。【請求項５１】  組織工学用の基体を提供するための、請求項20記載の生体適合性生分解性フリースの使用。【請求項５２】  軟骨細胞、心筋細胞、および幹細胞からなる群より選択される細胞を含む、水溶液および請求項27記載の生体適合性フリース粒子を含むスラリーを、創傷または欠損に適用することにより、創傷または欠損を治療する方法。【請求項５３】  幹細胞が間葉幹細胞である、請求項52記載記載の方法。【請求項５４】  軟骨細胞、心筋細胞、および幹細胞からなる群より選択される細胞を含む、水溶液および請求項27記載の生体適合性フリース粒子を含むスラリー。